(57)【要約】【課題】個人情報のセキュリティを確保しつつ、チケットの所有者が、チケットに定められた時間と場所において相手方を容易に特定する。【解決手段】チケットシステム１は、第１チケットＴＡと第２チケットＴＢとを関連付けて記憶する関連チケット情報記憶部２０と、第１チケットＴＡ及び第２チケットＴＢに定められた時間と場所の条件を記憶する条件記憶部２１と、第１チケットＴＡの所有者である第１ユーザＵＡを特定するための第１特定情報を記憶する特定情報記憶部２２と、第１チケットＴＡのデータを記憶する第１端末３０Ａと、第２チケットＴＢのデータを記憶する第２端末３０Ｂのそれぞれの位置情報を取得する位置情報取得部２３と、第１端末３０Ａ又は第２端末３０Ｂの少なくとも一方が第１チケットＴＡ及び第２チケットＴＢに定められた時間と場所の条件を満たす場合に、第２端末３０Ｂにおいて第１特定情報を表示させる表示制御部２４と、を備える。【選択図】図７
2019086850.tif 000002
【特許請求の範囲】
【請求項１】
第１チケットと第２チケットとを関連付けて記憶する関連チケット情報記憶部と、
前記第１チケット及び前記第２チケットに定められた時間と場所の条件を記憶する条件記憶部と、
前記第１チケットの所有者である第１ユーザを特定するための第１特定情報を記憶する特定情報記憶部と、
前記第１チケットのデータを記憶する第１端末と、前記第２チケットのデータを記憶する第２端末のそれぞれの位置情報を取得する位置情報取得部と、
前記第１端末又は前記第２端末の少なくとも一方が前記第１チケット及び前記第２チケットに定められた時間と場所の条件を満たす場合に、前記第２端末において前記第１特定情報を表示させる表示制御部と、
を備えることを特徴とするチケットシステム。
【請求項２】
前記特定情報記憶部は、前記第２チケットの所有者である第２ユーザを特定するための第２特定情報を記憶し、
前記表示制御部は、前記第１端末又は前記第２端末の少なくとも一方が前記第１チケット及び前記第２チケットに定められた時間と場所の条件を満たす場合に、前記第１端末において前記第２特定情報を表示させることを特徴とする請求項１に記載のチケットシステム。
【請求項３】
前記表示制御部は、前記第１端末と前記第２端末の両方が前記第１チケット及び前記第２チケットに定められた時間と場所の条件を満たす場合に、前記第１端末において前記第２特定情報を表示させ、前記第２端末において前記第１特定情報を表示させることを特徴とする請求項２に記載のチケットシステム。
【請求項４】
前記表示制御部は、前記第２端末が前記第２チケットに定められた時間と場所の条件を満たす場合に、前記第１端末の位置に応じて、前記第２端末において前記第１特定情報に基づいて表示する情報を制御することを特徴とする請求項１乃至３のいずれかに記載のチケットシステム。
【請求項５】
前記表示制御部は、前記第１チケット又は前記第２チケットのステータスが使用済か否かに応じて、前記第２端末において前記第１特定情報に基づいて表示する情報を制御することを特徴とする請求項１乃至４のいずれかに記載のチケットシステム。
【請求項６】
前記第１チケットと前記第２チケットの一方は、前記第１ユーザから前記第２ユーザに譲渡されたチケットであるか、又は前記第２ユーザから前記第１ユーザに譲渡されたチケットであることを特徴とする請求項２又は３に記載のチケットシステム。
【請求項７】
前記第１特定情報は、前記第１ユーザの顔写真を含み、
前記第２特定情報は、前記第２ユーザの顔写真を含むことを特徴とする請求項２又は３に記載のチケットシステム。
【請求項８】
前記第１端末と前記第２端末のそれぞれの位置に基づいて待ち合わせ場所を設定する待ち合わせ場所設定部と、
前記待ち合わせ場所設定部により設定した待ち合わせ場所を前記第１端末と前記第２端末のそれぞれに通知する通知部と、を備えることを特徴とする請求項１乃至７のいずれかに記載のチケットシステム。
【請求項９】
第１チケットと第２チケットとを関連付けて記憶する関連チケット情報記憶部と、
前記第１チケット及び前記第２チケットに定められた時間と場所の条件を記憶する条件記憶部と、
前記第１チケットの所有者である第１ユーザを特定するための第１特定情報を記憶する特定情報記憶部と、を備えるコンピュータを、
前記第１チケットのデータを記憶する第１端末と、前記第２チケットのデータを記憶する第２端末のそれぞれの位置情報を取得する位置情報取得部と、
前記第１端末又は前記第２端末の少なくとも一方が前記第１チケット及び前記第２チケットに定められた時間と場所の条件を満たす場合に、前記第２端末において前記第１特定情報を表示させる表示制御部として機能させるためのプログラム。
【発明の詳細な説明】
【技術分野】
【０００１】
本発明は、チケットシステム及びプログラムに関する。
【背景技術】
【０００２】
複数のユーザが携帯端末を利用して待ち合わせを容易に実現するシステムが知られている。例えば特許文献１には、同一基地局のサービスエリア内に待ち合わせを要するユーザの端末が存在する場合に、端末間で通信を行い、相手方の到着を報知するシステムについて開示されている。
【０００３】
また、特許文献２には、待ち合わせ場所に到着した後において待ち合わせ相手の特徴を提供することで、待ち合わせ相手を容易に特定可能としたシステムについて開示されている。
【先行技術文献】
【特許文献】
【０００４】
【特許文献１】特開平９−２９８７７１号公報
【特許文献２】特開２０１２−２２５７８２号公報
【発明の概要】
【発明が解決しようとする課題】
【０００５】
ところで、同一イベントに参加する複数のユーザ間においてそれらのユーザ同士が直接の知り合いではない場合にも、イベント会場で合流するための待ち合わせを行うことがある。
こうした待ち合わせのために、相手方の顔写真等の個人情報をユーザの端末で制限無く閲覧可能とすると、待ち合わせの用途以外にも個人情報が利用され得るため、セキュリティ上の問題がある。
【０００６】
本発明は、上記の課題に鑑みてなされたものであり、本発明の目的は、個人情報のセキュリティを確保しつつ、チケットの所有者が、チケットに定められた時間と場所において待ち合わせの相手を容易に特定できるチケットシステム及びプログラムを提供することにある。
【課題を解決するための手段】
【０００７】
上記課題は、本発明に係るチケットシステムによれば、第１チケットと第２チケットとを関連付けて記憶する関連チケット情報記憶部と、前記第１チケット及び前記第２チケットに定められた時間と場所の条件を記憶する条件記憶部と、前記第１チケットの所有者である第１ユーザを特定するための第１特定情報を記憶する特定情報記憶部と、前記第１チケットのデータを記憶する第１端末と、前記第２チケットのデータを記憶する第２端末のそれぞれの位置情報を取得する位置情報取得部と、前記第１端末又は前記第２端末の少なくとも一方が前記第１チケット及び前記第２チケットに定められた時間と場所の条件を満たす場合に、前記第２端末において前記第１特定情報を表示させる表示制御部と、を備えることにより解決される。
【０００８】
上記課題は、本発明に係るプログラムによれば、第１チケットと第２チケットとを関連付けて記憶する関連チケット情報記憶部と、前記第１チケット及び前記第２チケットに定められた時間と場所の条件を記憶する条件記憶部と、前記第１チケットの所有者である第１ユーザを特定するための第１特定情報を記憶する特定情報記憶部と、を備えるコンピュータを、前記第１チケットのデータを記憶する第１端末と、前記第２チケットのデータを記憶する第２端末のそれぞれの位置情報を取得する位置情報取得部と、前記第１端末又は前記第２端末の少なくとも一方が前記第１チケット及び前記第２チケットに定められた時間と場所の条件を満たす場合に、前記第２端末において前記第１特定情報を表示させる表示制御部として機能させることにより解決される。
【０００９】
上記のチケットシステム及びプログラムによれば、チケットの所有者がチケットに定められた時間と場所の条件を満たす場合に、待ち合わせの相手を特定するための情報を閲覧できる。
これにより、チケットシステム及びプログラムによれば、個人情報のセキュリティを確保しつつ、チケットの所有者が、チケットに定められた時間と場所において待ち合わせの相手を容易に特定できるようになる。
【００１０】
上記のチケットシステムにおいて、前記特定情報記憶部は、前記第２チケットの所有者である第２ユーザを特定するための第２特定情報を記憶し、前記表示制御部は、前記第１端末又は前記第２端末の少なくとも一方が前記第１チケット及び前記第２チケットに定められた時間と場所の条件を満たす場合に、前記第１端末において前記第２特定情報を表示させると好適である。
こうすることで、個人情報のセキュリティを確保しつつ、第１ユーザと第２ユーザの両者がチケットに定められた時間と場所において相手方を容易に特定することが可能となる。
【００１１】
上記のチケットシステムにおいて、前記表示制御部は、前記第１端末と前記第２端末の両方が前記第１チケット及び前記第２チケットに定められた時間と場所の条件を満たす場合に、前記第１端末において前記第２特定情報を表示させ、前記第２端末において前記第１特定情報を表示させると好適である。
こうすることで、第１ユーザと第２ユーザの両者がチケットに定められた時間と場所の条件を満たす場合に、第１ユーザと第２ユーザの両者が相手方を特定することが可能となる。これにより、個人情報のセキュリティをより確保しつつ、チケットに定められた時間と場所において待ち合わせの相手を容易に特定できるようになる。
【００１２】
上記のチケットシステムにおいて、前記表示制御部は、前記第２端末が前記第２チケットに定められた時間と場所の条件を満たす場合に、前記第１端末の位置に応じて、前記第２端末において前記第１特定情報に基づいて表示する情報を制御すると好適である。
こうすることで、第２ユーザに対して提供する第１ユーザの特定情報を第１ユーザの位置に応じて制御できる。これにより、第２ユーザと第１ユーザとの距離に応じて、第２ユーザが閲覧する第１ユーザに関する情報を変えることができる。
【００１３】
上記のチケットシステムにおいて、前記表示制御部は、前記第１チケット又は前記第２チケットのステータスが使用済か否かに応じて、前記第２端末において前記第１特定情報に基づいて表示する情報を制御すると好適である。
こうすることで、第１チケット又は第２チケットが使用されたか否かに応じて、第２ユーザが閲覧する第１ユーザの情報を変えることができる。
【００１４】
上記のチケットシステムにおいて、前記第１チケットと前記第２チケットの一方は、前記第１ユーザから前記第２ユーザに譲渡されたチケットであるか、又は前記第２ユーザから前記第１ユーザに譲渡されたチケットであると好適である。
こうすることで、チケットを譲渡したユーザと、チケットを譲り受けたユーザとの間で、チケットに定められた時間と場所の条件を満たす場合に、互いに相手方を容易に特定できるようになる。
【００１５】
上記のチケットシステムにおいて、前記第１特定情報は、前記第１ユーザの顔写真を含み、前記第２特定情報は、前記第２ユーザの顔写真を含むと好適である。
こうすることで、第１ユーザと第２ユーザにとって、互いに相手方を容易に特定できるようになる。
【００１６】
上記のチケットシステムにおいて、前記第１端末と前記第２端末のそれぞれの位置に基づいて待ち合わせ場所を設定する待ち合わせ場所設定部と、前記待ち合わせ場所設定部により設定した待ち合わせ場所を前記第１端末と前記第２端末のそれぞれに通知する通知部と、を備えると好適である。
こうすることで、第１ユーザと第２ユーザの位置に応じて適切な待ち合わせ場所を設定できる。
【発明の効果】
【００１７】
本発明によれば、個人情報のセキュリティを確保しつつ、チケットの所有者が、チケットに定められた時間と場所において待ち合わせの相手を容易に特定できる。
【図面の簡単な説明】
【００１８】
【図１】チケットシステムのシステム構成図である。
【図２】チケット管理サーバとユーザ端末のハードウェア構成図である。
【図３Ａ】第１の状況において、第１ユーザと第２ユーザとイベント会場の位置関係を示す図である。
【図３Ｂ】第１の状況において第１端末と第２端末に表示される画面の一例を示す図である。
【図４Ａ】第２の状況において、第１ユーザと第２ユーザとイベント会場の位置関係を示す図である。
【図４Ｂ】第２の状況において第１端末と第２端末に表示される画面の一例を示す図である。
【図５Ａ】第３の状況において、第１ユーザと第２ユーザとイベント会場の位置関係を示す図である。
【図５Ｂ】第３の状況において第１端末と第２端末に表示される画面の一例を示す図である。
【図６Ａ】第１ユーザと第２ユーザの待ち合わせ場所を示す図である。
【図６Ｂ】待ち合わせ場所の通知画面の一例を示す図である。
【図７】チケット管理サーバの機能ブロック図である。
【図８】関連チケット情報テーブルの一例を示す図である。
【図９】チケット条件テーブルの一例を示す図である。
【図１０】特定情報テーブルの一例を示す図である。
【図１１】チケット購入処理に関するシーケンス図である。
【図１２】チケット分配処理に関するシーケンス図である。
【図１３】第１ユーザ及び第２ユーザの特定情報の表示制御処理に関するシーケンス図である。
【図１４】待ち合わせ場所の設定処理に関するシーケンス図である。
【発明を実施するための形態】
【００１９】
以下、本発明の一実施形態（本実施形態）について図１乃至図１４を参照しながら説明する。
なお、以下に説明する実施形態は、本発明の理解を容易にするためのものであり、本発明を限定するものではない。すなわち、本発明は、その趣旨を逸脱することなく、変更、改良され得るとともに、本発明にはその等価物が含まれることは勿論である。
特に、以下の説明や図面中に記載された画面のデザイン及びレイアウトは、あくまでも一例に過ぎず、本発明の用途やユーザの要望等に応じて適宜変更可能である。
【００２０】
［チケットシステム１のシステム構成］
図１に示されるように、チケットシステム１は、チケット管理サーバ１０、第１端末３０Ａ、第２端末３０Ｂを備える。
そして、チケット管理サーバ１０と、第１端末３０Ａ及び第２端末３０Ｂとは、インターネット等のネットワークＮを介して相互に通信可能に接続される。なお、以下において第１端末３０Ａと第２端末３０Ｂに共通する内容については、ユーザ端末３０と表記して説明する。
【００２１】
第１端末３０Ａは、第１ユーザＵＡにより操作されるスマートフォン、タブレット端末等の携帯端末（コンピュータ）である。そして、第１端末３０Ａには、第１チケットＴＡのデータが記憶される。この第１チケットＴＡは、第１ユーザＵＡが所有するチケットであり、所定イベントへの参加権を有するものである。
具体的には、第１チケットＴＡには、時間（イベント日時）、場所（イベント会場）が定められている。そして、第１チケットＴＡの所有者である第１ユーザＵＡの情報、イベント会場における座席情報、チケットのステータス（使用状態）等の情報は、チケット管理サーバ１０において管理される。
【００２２】
第２端末３０Ｂは、第２ユーザＵＢにより操作されるスマートフォン、タブレット端末等の携帯端末（コンピュータ）である。そして、第２端末３０Ｂには、第２チケットＴＢのデータが記憶される。この第２チケットＴＢには、第２ユーザＵＢが所有するチケットであり、所定イベントへの参加権が定められる。本実施形態では、第１チケットＴＡと第２チケットＴＢの対象とするイベントは同一とする。
具体的には、第２チケットＴＢは、時間（イベント日時）、場所（イベント会場）が定められている。そして、第２チケットＴＢの所有者である第２ユーザＵＢの情報、イベント会場における座席情報、チケットのステータス（使用状態）等の情報は、チケット管理サーバ１０において管理される。
【００２３】
本実施形態では、第１チケットＴＡと第２チケットＴＢは同一ユーザ（例えば第１ユーザＵＡ）によりまとめて購入され、その後第２チケットＴＢについては第２ユーザＵＢに譲渡（分配）されたこととする。これにより、チケット管理サーバ１０においては、第１チケットＴＡと第２チケットＴＢとは関連するチケットとして管理される。
【００２４】
チケット管理サーバ１０は、チケットの情報を管理するコンピュータである。例えば、チケット管理サーバ１０は、チケットの購入、チケットの譲渡、チケットのキャンセルや、チケットの使用状態の管理等を行う。
【００２５】
また、チケット管理サーバ１０は、ユーザ端末３０へのチケットデータ（電子チケット）を提供する。
具体的には、チケット管理サーバ１０は、第１ユーザＵＡの第１端末３０Ａに対して、第１チケットＴＡのデータ（電子チケット）を提供する。この際、チケット管理サーバ１０は、第１端末３０Ａから第１ユーザＵＡの容姿を特定するための特定情報（例えば顔写真）を受け付ける。そして、チケット管理サーバ１０は、第１チケットＴＡに関連付けて、第１ユーザＵＡの特定情報を記憶する。
また、チケット管理サーバ１０は、第２ユーザＵＢの第２端末３０Ｂに対して、第２チケットＴＢのデータ（電子チケット）を提供する。この際、チケット管理サーバ１０は、第２端末３０Ｂから第２ユーザＵＢの容姿を特定するための特定情報（例えば顔写真）を受け付ける。そして、チケット管理サーバ１０は、第２チケットＴＢに関連付けて、第２ユーザＵＢの特定情報を記憶する。
【００２６】
チケット管理サーバ１０は、現在日時と、第１端末３０Ａと第２端末３０Ｂの位置と、第１チケットＴＡと第２チケットＴＢのイベントの日時と場所の条件に応じて、第１ユーザＵＡの特定情報と、第２ユーザＵＢの特定情報を、第１端末３０Ａと第２端末３０Ｂに提供するようにする。これにより、チケット管理サーバ１０は、第１ユーザＵＡと第２ユーザＵＢが顔見知りでない場合においても、第１ユーザＵＡと第２ユーザＵＢとがイベント会場において容易に特定可能となるようにする。なお、上記の待ち合わせ支援に関する処理の詳細については後述する。
【００２７】
［ハードウェア構成］
次に、図２を参照しながら、チケット管理サーバ１０とユーザ端末３０のハードウェア構成について説明する。
【００２８】
［チケット管理サーバ１０のハードウェア構成］
図２に示されるように、チケット管理サーバ１０は、ハードウェア構成として、プロセッサ１１、記憶装置１２及び通信用インターフェース１３を備える。
【００２９】
プロセッサ１１は、プログラムに記述された命令セットを実行するためのハードウェア（例えばＣＰＵ）である。そして、プロセッサ１１は、記憶装置１２に記憶されるプログラムやデータに基づいて各種の演算処理を実行するとともに、チケット管理サーバ１０の各部を制御する。
【００３０】
記憶装置１２は、例えばメモリ、磁気ディスク装置を含み構成され、各種のプログラムやデータを記憶する。一例としては、記憶装置１２には、後述する関連チケット情報テーブルＴ１、チケット条件テーブルＴ２、特定情報テーブルＴ３等のデータが記憶される。また、記憶装置１２は、プロセッサ１１のワークメモリとしても用いられる。なお、プロセッサ１１には、フラッシュメモリ、光学ディスク等の情報記憶媒体が含まれていてもよい。
【００３１】
通信用インターフェース１３は、例えばネットワークインターフェースカードを含み構成され、インターネットやイントラネット等の通信網を経由して、ユーザ端末３０等のコンピュータと通信する。
【００３２】
［ユーザ端末３０のハードウェア構成］
図２に示されるように、ユーザ端末３０は、プロセッサ３１、記憶装置３２、通信用インターフェース３３、入力装置３４、表示装置３５、及びＧＰＳチップ３６を備える。なお、入力装置３４及び表示装置３５はユーザ端末３０の外部装置として設けられていてもよい。
【００３３】
プロセッサ３１は、プログラムに記述された命令セットを実行するためのハードウェア（例えばＣＰＵ）である。そして、プロセッサ３１は、記憶装置３２に記憶されるプログラムやデータに基づいて各種の演算処理を実行するとともに、ユーザ端末３０の各部を制御する。
【００３４】
記憶装置３２は、例えばメモリ、磁気ディスク装置を含み構成され、各種のプログラムやデータを記憶するほか、プロセッサ３１のワークメモリとしても機能する。なお、記憶装置３２には、フラッシュメモリ、光学ディスク等の情報記憶媒体が含まれていてもよい。
【００３５】
通信用インターフェース３３は、例えばネットワークインターフェースカードを含み構成され、インターネットやイントラネット等の通信網を経由して、チケット管理サーバ１０等のコンピュータと通信する。
【００３６】
入力装置３４は、例えばタッチパネル、キーボード、マウス等を含み構成され、ユーザからの入力を受け付ける。
【００３７】
表示装置３５は、例えば液晶ディスプレイ装置、有機ＥＬディスプレイ装置等を含み構成され、プロセッサ３１により生成されるグラフィックデータに基づく画面を出力する。
【００３８】
ＧＰＳチップ３６は、ＧＰＳ（Global positioning system）衛星からのＧＰＳ信号を受信し、ユーザ端末３０の位置を測定するデバイスである。
なお、本実施形態では、ユーザ端末３０の位置の測定にＧＰＳを用いることとするが、携帯電話の基地局位置情報や、Ｗｉ−Ｆｉの基地局位置情報を用いてもよい。
【００３９】
［チケットシステム１の概要］
次に、図３Ａ、図３Ｂ、図４Ａ、図４Ｂ、図５Ａ、図５Ｂ、図６Ａ及び図６Ｂを参照しながら、チケットシステム１における処理の概要について説明する。
なお、以下に説明する例においては、第１ユーザＵＡの第１端末３０Ａには第１チケットＴＡのデータ（電子チケット）が記憶され、第２ユーザＵＢの第２端末３０Ｂには第２チケットＴＢのデータ（電子チケット）が記憶されていることとする。そして、第１チケットＴＡと第２チケットＴＢとはイベント会場Ｓで開催される同じイベントの参加権（入場権）を有するものとする。
【００４０】
また、イベント会場Ｓで開催されるイベントの開催日時は一例として２０１７／１０／１の１８：００（開場）〜２１：００とする。
そして、以下の例においては、上記の期間及びイベント会場Ｓの中にいる場合において、第１ユーザＵＡと第２ユーザＵＢのそれぞれの特定情報が利用可能であることとする。
【００４１】
［第１の状況］
図３Ａには、第１の状況における、イベント会場Ｓと、第１ユーザＵＡ及び第２ユーザＵＢとの位置関係、並びにイベント日時情報と現在時刻との関係を示した。
図３Ａに示されるように、第１ユーザＵＡと第２ユーザＵＢとは、イベント会場Ｓに向かっているところであり、共にイベント会場Ｓから離れた位置にいる。また、現在時刻もイベントの開催日時の範囲外にある。
【００４２】
図３Ｂには、第１の状況において、第１端末３０Ａと第２端末３０Ｂに表示される画面の一例を示した。
【００４３】
図３Ｂに示されるように、第１端末３０Ａの表示装置３５には、第１画面５０Ａが表示される。この第１画面５０Ａには、第２ユーザＵＢの現在の状況が表示される。例えば、第１画面５０Ａには、第２ユーザＵＢがイベント会場Ｓに向かっていること、及び第２ユーザＵＢの到着予定までの時間が表示される。ここで、第２ユーザＵＢの到着予定までの時間は、第２端末３０Ｂの現在位置と、イベント会場Ｓとの距離に基づいて算出することとしてよい。
また、第１端末３０Ａと第２端末３０Ｂがイベント会場Ｓのエリア外におり、また現在時刻がイベントの開催日時の範囲外のため、第１画面５０Ａには、第２ユーザＵＢの顔写真は表示されない。
【００４４】
また、図３Ｂに示されるように、第２端末３０Ｂの表示装置３５には、第２画面５０Ｂが表示される。この第２画面５０Ｂには、第１ユーザＵＡの現在の状況が表示される。例えば、第２画面５０Ｂには、第１ユーザＵＡがイベント会場Ｓに向かっていること、及び第１ユーザＵＡの到着予定までの時間が表示される。ここで、第１ユーザＵＡの到着予定までの時間は、第１端末３０Ａの現在位置と、イベント会場Ｓとの距離に基づいて算出することとしてよい。
また、第１端末３０Ａと第２端末３０Ｂがイベント会場Ｓのエリア外におり、また現在時刻がイベントの開催日時の範囲外のため、第２画面５０Ｂには、第１ユーザＵＡの顔写真は表示されない。
【００４５】
［第２の状況］
図４Ａには、第２の状況における、イベント会場Ｓと、第１ユーザＵＡ及び第２ユーザＵＢとの位置関係、並びにイベント日時情報と現在時刻との関係を示した。
図４Ａに示されるように、第２の状況では、第１ユーザＵＡはイベント会場Ｓに向かっており、第２ユーザＵＢはイベント会場Ｓに入場済とする。また、現在時刻もイベントの開催日時の範囲内にある。
【００４６】
図４Ｂには、第２の状況において、第１端末３０Ａと第２端末３０Ｂに表示される画面の一例を示した。
【００４７】
図４Ｂに示されるように、第１端末３０Ａの表示装置３５には、第３画面５１Ａが表示される。この第３画面５１Ａには、第２ユーザＵＢの現在の状況が表示される。例えば、第３画面５１Ａには、第２ユーザＵＢがイベント会場Ｓに入場済であること、及び第２ユーザＵＢの第２ユーザ顔画像（小）５２Ｂが表示される。
このように、第１端末３０Ａと第２端末３０Ｂのうち一方がイベント会場Ｓのエリア内におり、また現在時刻がイベントの開催日時の範囲内のため、第３画面５１Ａには、第２ユーザＵＢの顔写真が表示される。
【００４８】
また、図４Ｂに示されるように、第２端末３０Ｂの表示装置３５には、第４画面５１Ｂが表示される。この第４画面５１Ｂには、第１ユーザＵＡの現在の状況が表示される。例えば、第４画面５１Ｂには、第１ユーザＵＡがイベント会場Ｓに向かっていること、及び第１ユーザＵＡの到着予定までの時間が記載される。
なお、第２端末３０Ｂがイベント会場Ｓのエリア内におり、また現在時刻がイベントの開催日時の範囲内のため、第４画面５１Ｂには、第１ユーザＵＡの第１ユーザ顔画像（小）５２Ａが表示される。
【００４９】
本例では、第２端末３０Ｂはイベント会場Ｓの中にいるが、第１端末３０Ａがイベント会場Ｓの外にいるため、第１端末３０Ａと第２端末３０Ｂの表示装置３５に表示される顔画像は縮小版（例えばサムネイル画像）に制御されている。
【００５０】
［第３の状況］
図５Ａには、第３の状況における、イベント会場Ｓと、第１ユーザＵＡ及び第２ユーザＵＢとの位置関係、並びにイベント日時情報と現在時刻との関係を示した。
図５Ａに示されるように、第３の状況では、第１ユーザＵＡと第２ユーザＵＢは共にイベント会場Ｓに入場済であり、現在時刻もイベントの開催日時の範囲内にある。
【００５１】
図５Ｂには、第３の状況において、第１端末３０Ａと第２端末３０Ｂに表示される画面の一例を示した。
【００５２】
図５Ｂに示されるように、第１端末３０Ａの表示装置３５には、第５画面５３Ａが表示される。この第５画面５３Ａには、第２ユーザＵＢの現在の状況が表示される。例えば、第５画面５３Ａには、第２ユーザＵＢがイベント会場Ｓに入場済であること、及び第２ユーザＵＢの第２ユーザ顔画像（大）５４Ｂが表示される。
【００５３】
また、図５Ｂに示されるように、第２端末３０Ｂの表示装置３５には、第６画面５３Ｂが表示される。この第６画面５３Ｂには、第１ユーザＵＡの現在の状況が表示される。例えば、第６画面５３Ｂには、第１ユーザＵＡがイベント会場Ｓに入場済であること、及び第１ユーザＵＡの第１ユーザ顔画像（大）５４Ａが表示される。
【００５４】
第３の状況では、第１端末３０Ａと第２端末３０Ｂは共にイベント会場Ｓの中にいるため、第１端末３０Ａと第２端末３０Ｂの表示装置３５に表示される顔画像は大サイズに制御する。これにより、第１ユーザＵＡは第２ユーザ顔画像（大）５４Ｂに基づき、第２ユーザＵＢを容易に特定できるようになる。同様に、第２ユーザＵＢは第１ユーザ顔画像（大）５４Ａに基づき、第１ユーザＵＡを容易に特定できるようになる。
【００５５】
［第４の状況］
本例では、第１ユーザＵＡは、第１ゲートＧＡから入場し、第２ユーザＵＢは第３ゲートＧＣから離れた第３ゲートＧＣから入場したこととする。
この場合に、第１ユーザＵＡと第２ユーザＵＢの位置は離れているため、第１端末３０Ａ又は第２端末３０Ｂからの要求に応じて、チケット管理サーバ１０は、第１ユーザＵＡと第２ユーザＵＢの待ち合わせ場所６０を設定する。
【００５６】
図６Ａには、チケット管理サーバ１０により設定される、第１ユーザＵＡと第２ユーザＵＢの待ち合わせ場所６０の位置を示した。
図６Ａに示されるように、チケット管理サーバ１０は、第１端末３０Ａの現在位置と、第２端末３０Ｂの現在位置とに基づいて、第１ユーザＵＡと第２ユーザＵＢの待ち合わせ場所６０を設定する。
具体的には、チケット管理サーバ１０は、第１端末３０Ａと第２端末３０Ｂとのそれぞれの現在位置の中間地点に基づいて、待ち合わせ場所６０を設定する。
本例においては、待ち合わせ場所６０は、第１ゲートＧＡと第３ゲートＧＣの中間地点にある、第２ゲートＧＢに設定される。
【００５７】
図６Ｂには、第４の状況において、第１端末３０Ａと第２端末３０Ｂに表示される画面の一例を示した。
【００５８】
図６Ｂに示されるように、第１端末３０Ａの表示装置３５には、第７画面５５Ａが表示される。この第７画面５５Ａには、第２ユーザＵＢとの待ち合わせ場所に関する情報、及び第２ユーザＵＢの第２ユーザ顔画像（大）５４Ｂが表示される。
【００５９】
また、図６Ｂに示されるように、第２端末３０Ｂの表示装置３５には、第８画面５５Ｂが表示される。この第８画面５５Ｂには、第１ユーザＵＡとの待ち合わせ場所に関する情報、及び第１ユーザＵＡの第１ユーザ顔画像（大）５４Ａが表示される。
【００６０】
なお、第７画面５５Ａ及び第８画面５５Ｂにおいて、「第２ゲート」の箇所をタッチすると、「第２ゲート」の位置を示すマップが表示されるようにしてもよい。
【００６１】
このように、第４の状況では、第１端末３０Ａと第２端末３０Ｂの表示装置３５にはそれぞれ、第１端末３０Ａと第２端末３０Ｂの位置に基づいて設定された待ち合わせ場所６０の情報が表示されるとともに、第１ユーザＵＡと第２ユーザＵＢの顔写真が表示される。これにより、第１ユーザＵＡと第２ユーザＵＢにとって待ち合わせの相手を特定することが容易となる。
【００６２】
［チケット管理サーバ１０の機能の説明］
次に、図７を参照しながら、上記の処理を実現するためにチケット管理サーバ１０に備えられる機能について説明する。
図７に示されるように、チケット管理サーバ１０は、関連チケット情報記憶部２０、条件記憶部２１、特定情報記憶部２２、位置情報取得部２３、表示制御部２４、待ち合わせ場所設定部２５、及び通知部２６を備える。
【００６３】
チケット管理サーバ１０に備えられる上記各部の機能は、プロセッサ１１が、記憶装置１２に記憶されるプログラム及びデータに基づいてチケット管理サーバ１０の各部を制御することにより実現されるものである。なお、チケット管理サーバ１０は、上記のプログラムを、コンピュータ読み取り可能な情報記憶媒体から読み込むこととしてもよいし、インターネットやイントラネット等の通信網を介して受信してもよい。
以下、チケット管理サーバ１０に備えられる上記の各部の機能の詳細について説明する。
【００６４】
［関連チケット情報記憶部２０の説明］
関連チケット情報記憶部２０は、第１チケットＴＡと第２チケットＴＢとを関連付けて記憶する。
【００６５】
「第１チケットＴＡ」とは、所定のイベントについてのチケットであって、第１ユーザＵＡが所有するチケットである。
「第２チケットＴＢ」とは、所定のイベントについてのチケットであって、第２ユーザＵＢが所有するチケットである。
なお、上記の「チケット」には、例えばイベントの行われる場所（イベント会場Ｓ）及び時間が関連付けられる。また、「チケット」にはさらに、イベント会場Ｓにおける座席情報が関連付けられることとしてもよい。
また、イベントは入場料を取るものに限定されない。すなわち、チケットは有償、無償を問わないこととする。
【００６６】
第１チケットＴＡと第２チケットＴＢは、例えばまとめて購入されたチケットとしてよい。
具体的には、第１チケットＴＡと第２チケットＴＢの一方は、第１ユーザＵＡから第２ユーザＵＢに譲渡（分配）されたチケットであるか、又は第２ユーザＵＢから第１ユーザＵＡに譲渡（分配）されたチケットとする。
すなわち、第１チケットＴＡと第２チケットＴＢの所有者が第１ユーザＵＡであった後に、第１ユーザＵＡから第２ユーザＵＢに第２チケットＴＢが譲渡（分配）された場合に、関連チケット情報記憶部２０は、第１チケットＴＡと第２チケットＴＢとを関連付けて記憶する。
また、第１チケットＴＡと第２チケットＴＢの所有者が第２ユーザＵＢであった後に、第２ユーザＵＢから第１ユーザＵＡに第１チケットＴＡが譲渡（分配）された場合に、関連チケット情報記憶部２０は、第１チケットＴＡと第２チケットＴＢとを関連付けて記憶する。
【００６７】
関連チケット情報記憶部２０は、主にチケット管理サーバ１０の記憶装置１２により実現される。
具体的には、記憶装置１２は、図８に示される関連チケット情報テーブルＴ１を記憶する。図８に示されるように、関連チケット情報テーブルＴ１には、チケットＩＤと関連チケットＩＤの情報が記憶される。
チケットＩＤとは、チケット管理サーバ１０において管理するチケットを一意に識別する識別子である。そして、関連チケットＩＤは、主キーとなるチケットＩＤに関連付けられたチケットＩＤの情報である。
【００６８】
［条件記憶部２１の説明］
条件記憶部２１は、第１チケットＴＡ及び第２チケットＴＢに定められた時間と場所の条件を記憶する。
【００６９】
「第１チケットＴＡ及び第２チケットＴＢに定められた時間と場所の条件」とは、第１チケットＴＡと第２チケットＴＢに関する有効期間と、有効エリアとを示す条件である。例えば、同じイベントに関しては同じ有効期間と有効エリアが定められることとしてよい。
上記の有効期間とは、チケットの対象となるイベントが開催される開催期間内としてもよいし、上記の開催期間を含む期間内としてもよく、任意に設定可能である。
上記の有効エリアとは、チケットの対象となるイベントが行われるイベント会場Ｓのエリア内としてもよいし、イベント会場Ｓを含むエリア内としてもよく、任意に設定可能である。
【００７０】
条件記憶部２１は、主にチケット管理サーバ１０の記憶装置１２により実現される。
具体的には、記憶装置１２は、図９に示されるチケット条件テーブルＴ２を記憶する。図９に示されるように、チケット条件テーブルＴ２には、チケットＩＤ、イベントＩＤ、有効期間、有効エリアの情報が記憶される。
イベントＩＤは、チケットＩＤにより識別されるチケットの対象となるイベントを一意に識別する情報である。
有効期間は、チケットＩＤにより識別されるチケットに関連付けられる特定情報の利用が許可される期間である。
有効エリアは、チケットＩＤにより識別されるチケットに関連付けられる特定情報の利用が許可されるエリアである。
【００７１】
［特定情報記憶部２２の説明］
特定情報記憶部２２は、第１チケットＴＡの所有者である第１ユーザＵＡを特定するための第１特定情報を記憶する。
また、特定情報記憶部２２は、第２チケットＴＢの所有者である第２ユーザＵＢを特定するための第２特定情報を記憶する。
【００７２】
「チケットの所有者」とは、チケットを使用する権利を有する者である。チケットが電子チケットである場合には、電子チケットを格納したデバイス（ユーザ端末３０）を保有する者が上記の「チケットの所有者」に相当する。
【００７３】
「第１特定情報」とは、第１ユーザＵＡの容姿を特定するための情報である。例えば、第１ユーザＵＡの写真（顔写真を含む）は、上記の「第１特定情報」の一例に相当する。また例えば、第１ユーザＵＡの似顔絵、顔の特徴、着衣の特徴等の情報も上記の「第１特定情報」の一例に相当し得る。
また、第１端末３０Ａは、第１チケットＴＡの電子チケットをダウンロードする際に、チケット管理サーバ１０に対して第１特定情報を送信するようにしてよい。
【００７４】
「第２特定情報」とは、第２ユーザＵＢの容姿を特定するための情報である。例えば、第２ユーザＵＢの写真（顔写真を含む）は、上記の「第２特定情報」の一例に相当する。また例えば、第２ユーザＵＢの似顔絵、顔の特徴、着衣の特徴等の情報も上記の「第２特定情報」の一例に相当し得る。
また、第２端末３０Ｂは、第２チケットＴＢの電子チケットをダウンロードする際に、チケット管理サーバ１０に対して第１特定情報を送信するようにしてよい。
【００７５】
特定情報記憶部２２は、主にチケット管理サーバ１０の記憶装置１２により実現される。
具体的には、記憶装置１２は、図１０に示される特定情報テーブルＴ３を記憶する。図１０に示されるように、特定情報テーブルＴ３には、チケットを識別するチケットＩＤ、チケットの所有者、所有者の特定情報のそれぞれの情報が記憶される。
なお、本実施形態では、上記の「所有者の特定情報」には所有者の顔写真を用いることとするがこれに限定されず、上述したように所有者の似顔絵、顔の特徴、体型の特徴、着衣の特徴等の情報としてもよい。なお、上記の「特定情報」は、絵（アイコンを含む）、図形等のビジュアル情報としてもよいし、特徴を文字列により表したテキスト情報としてもよい。
【００７６】
［位置情報取得部２３の説明］
位置情報取得部２３は、第１チケットＴＡのデータを記憶する第１端末３０Ａと、第２チケットＴＢのデータを記憶する第２端末３０Ｂのそれぞれの位置情報を取得する。
【００７７】
「第１チケットＴＡのデータ」とは、第１チケットＴＡに関するデータである。例えば、第１チケットＴＡの電子チケットが上記の「第１チケットＴＡのデータ」に相当する。また例えば、第１チケットＴＡの固有情報（バーコード、二次元コード）等も上記の「第１チケットＴＡのデータ」に相当する。
「第１端末３０Ａ」とは、第１ユーザＵＡが保有する携帯端末であって、第１チケットＴＡのデータを記憶する携帯端末である。
【００７８】
「第２チケットＴＢのデータ」とは、第２チケットＴＢに関するデータである。例えば、第２チケットＴＢの電子チケットが上記の「第２チケットＴＢのデータ」に相当する。また例えば、第２チケットＴＢの固有情報（バーコード、二次元コード）等も上記の「第２チケットＴＢのデータ」に相当する。
「第２端末３０Ｂ」とは、第２ユーザＵＢが保有する携帯端末であって、第２チケットＴＢのデータを記憶する携帯端末である。
【００７９】
「端末の位置情報」とは、端末（ユーザ端末３０）の現在位置を示す情報である。例えば、ユーザ端末３０のＧＰＳチップ３６により得られる位置情報が、上記の「端末の位置情報」に相当する。
【００８０】
位置情報取得部２３は、主にチケット管理サーバ１０のプロセッサ１１、記憶装置１２及び通信用インターフェース１３により実現される。
具体的には、プロセッサ１１は、第１端末３０ＡのＧＰＳチップ３６で測定した第１端末３０Ａの位置情報を、通信用インターフェース１３を介して受信する。
また、プロセッサ１１は、第２端末３０ＢのＧＰＳチップ３６で測定した第２端末３０Ｂの位置情報を、通信用インターフェース１３を介して受信する。
なお、第１端末３０Ａと第２端末３０Ｂから位置情報を受信するタイミングは、定期的なタイミングとしてもよいし、第１端末３０Ａと第２端末３０Ｂにおいて所定のイベントが発生したタイミングとしてよい。例えば、上記の所定のイベントとは、ユーザから所定の操作を受け付けたタイミングとしてよい。
【００８１】
［表示制御部２４の説明］
表示制御部２４は、第１端末３０Ａ又は第２端末３０Ｂの少なくとも一方が第１チケットＴＡ及び第２チケットＴＢに定められた時間と場所の条件を満たす場合に、第２端末３０Ｂにおいて第１特定情報を表示させる。
【００８２】
また、表示制御部２４は、第１端末３０Ａ又は第２端末３０Ｂの少なくとも一方が第１チケットＴＡ及び第２チケットＴＢに定められた時間と場所の条件を満たす場合に、第１端末３０Ａにおいて第２特定情報を表示させる。
【００８３】
「第１端末３０Ａ又は第２端末３０Ｂの少なくとも一方が第１チケットＴＡ及び第２チケットＴＢに定められた時間と場所の条件を満たす」とは、第１端末３０Ａが第１チケットＴＡに定められた有効期間と有効エリアの条件を満たすこと、又は第２端末３０Ｂが第２チケットＴＢに定められた有効期間と有効エリアの条件を満たすことの少なくとも一方が満たされることである。
【００８４】
「第２端末３０Ｂにおいて第１特定情報を表示させる」とは、第２端末３０Ｂの表示装置３５に、第１ユーザＵＡの第１特定情報を表示させることである。例えば、図４Ｂ、図５Ｂ、図６Ｂに示されるように、第２端末３０Ｂの表示装置３５に第１ユーザＵＡの第１ユーザ顔画像（小）５２Ａ、第１ユーザ顔画像（大）５４Ａを表示することが上記の「第２端末３０Ｂにおいて第１特定情報を表示させる」ことに相当する。
【００８５】
「第１端末３０Ａにおいて第２特定情報を表示させる」とは、第１端末３０Ａの表示装置３５に、第２ユーザＵＢの第２特定情報を表示させることである。例えば、図４Ｂ、図５Ｂ、図６Ｂに示されるように、第１端末３０Ａの表示装置３５に第２ユーザＵＢの第２ユーザ顔画像（小）５２Ｂ、第２ユーザ顔画像（大）５４Ｂを表示することが上記の「第１端末３０Ａにおいて第２特定情報を表示させる」ことに相当する。
【００８６】
また、表示制御部２４は、第１端末３０Ａと第２端末３０Ｂの両方が第１チケットＴＡ及び第２チケットＴＢに定められた時間と場所の条件を満たす場合に、第１端末３０Ａにおいて第２特定情報を表示させ、第２端末３０Ｂにおいて第１特定情報を表示させてもよい。
【００８７】
「第１端末３０Ａと第２端末３０Ｂの両方が第１チケットＴＡ及び第２チケットＴＢに定められた時間と場所の条件を満たす」とは、第１端末３０Ａが第１チケットＴＡに定められた有効期間と有効エリアの条件を満たし、且つ第２端末３０Ｂが第２チケットＴＢに定められた有効期間と有効エリアの条件を満たすことである。
【００８８】
また、表示制御部２４は、第２端末３０Ｂが第２チケットＴＢに定められた時間と場所の条件を満たす場合に、第１端末３０Ａの位置に応じて、第２端末３０Ｂにおいて第１特定情報に基づいて表示する情報を制御してもよい。
【００８９】
「第１端末３０Ａの位置に応じて、第２端末３０Ｂにおいて第１特定情報に基づいて表示する情報を制御する」とは、第１端末３０Ａの位置に応じて、第２端末３０Ｂの表示装置３５において第１特定情報に基づいて表示する情報を変えることである。例えば、第１端末３０Ａの位置が所定エリア（イベント会場Ｓ）内にあるか否か、又は第１端末３０Ａと第２端末３０Ｂとの距離に応じて、第１特定情報に基づいて表示する情報を変えてもよい。
具体的には、表示制御部２４は、第１端末３０Ａの位置が所定エリア外である場合には、第２ユーザ顔画像（小）５２Ｂを表示させ、第１端末３０Ａの位置が所定エリア内である場合には、第２ユーザ顔画像（大）５４Ｂを表示させるように制御する。
また、表示制御部２４は、第１端末３０Ａと第２端末３０Ｂとの距離が所定値より大きい場合には、第２ユーザ顔画像（小）５２Ｂを表示させ、第１端末３０Ａと第２端末３０Ｂとの距離が所定値以下である場合には、第２ユーザ顔画像（大）５４Ｂを表示させるように制御する。
【００９０】
また、表示制御部２４は、第１端末３０Ａが第１チケットＴＡに定められた時間と場所の条件を満たす場合に、第２端末３０Ｂの位置に応じて、第１端末３０Ａにおいて第２特定情報に基づいて表示する情報を制御してもよい。
【００９１】
「第２端末３０Ｂの位置に応じて、第１端末３０Ａにおいて第２特定情報に基づいて表示する情報を制御する」とは、第２端末３０Ｂの位置に応じて、第１端末３０Ａの表示装置３５において第２特定情報に基づいて表示する情報を変えることである。例えば、第２端末３０Ｂの位置が所定エリア（イベント会場Ｓ）内にあるか否か、又は第１端末３０Ａと第２端末３０Ｂとの距離に応じて、第２特定情報に基づいて表示する情報を変えてもよい。
具体的には、表示制御部２４は、第２端末３０Ｂの位置が所定エリア外である場合には、第１ユーザ顔画像（小）５２Ａを表示させ、第２端末３０Ｂの位置が所定エリア内である場合には、第１ユーザ顔画像（大）５４Ａを表示させるように制御する。
また、表示制御部２４は、第１端末３０Ａと第２端末３０Ｂとの距離が所定値より大きい場合には、第１ユーザ顔画像（小）５２Ａを表示させ、第１端末３０Ａと第２端末３０Ｂとの距離が所定値以下である場合には、第１ユーザ顔画像（大）５４Ａを表示させるように制御する。
【００９２】
また、表示制御部２４は、第１チケットＴＡ又は第２チケットＴＢのステータスが使用済か否かに応じて、第２端末３０Ｂにおいて第１特定情報に基づいて表示する情報を制御してもよい。
また、表示制御部２４は、第１チケットＴＡ又は第２チケットＴＢのステータスが入場済か否かに応じて、第１端末３０Ａにおいて第２特定情報に基づいて表示する情報を制御してもよい。
【００９３】
「チケットのステータス」とは、チケットの状態を示す情報である。例えば、「ステータス」には、購入済、発券済、使用済（入場済）等の複数の状態を含む。
「購入済」とは、チケットを購入後から発券するまでの状態に相当する。
「発券済」とは、チケットを発券した状態から使用済（入場済）までの状態に相当する。
「使用済」とは、チケットを使用した後の状態に相当する。例えば、チケットを使用してイベント会場Ｓに入った後の状態が、上記の「使用済」の状態に相当する。
【００９４】
「第１チケットＴＡ又は第２チケットＴＢのステータスが使用済」とは、少なくとも第１チケットＴＡが使用済であるか、又は第２チケットＴＢが使用済であることを示す。
【００９５】
「第１チケットＴＡ又は第２チケットＴＢのステータスが使用済か否かに応じて、第２端末３０Ｂにおいて第１特定情報に基づいて表示する情報を制御する」とは、第１チケットＴＡ又は第２チケットＴＢのステータスが使用済か否かに応じて、第２端末３０Ｂの表示装置３５において第１特定情報に基づいて表示する情報を変えることである。
例えば、表示制御部２４は、第１チケットＴＡと第２チケットＴＢのいずれも使用済でない場合には、第２ユーザ顔画像（小）５２Ｂを表示させ、第１チケットＴＡ又は第２チケットＴＢのいずれかが使用済である場合には、第２ユーザ顔画像（大）５４Ｂを表示させるようにしてよい。
【００９６】
「第１チケットＴＡ又は第２チケットＴＢのステータスが入場済か否かに応じて、第１端末３０Ａにおいて第２特定情報に基づいて表示する情報を制御する」とは、第１チケットＴＡ又は第２チケットＴＢのステータスが入場済か否かに応じて、第１端末３０Ａの表示装置３５において第２特定情報に基づいて表示する情報を変えることである。
例えば、表示制御部２４は、第１チケットＴＡと第２チケットＴＢのいずれも使用済でない場合には、第１ユーザ顔画像（小）５２Ａを表示させ、第１チケットＴＡ又は第２チケットＴＢのいずれかが使用済である場合には、第１ユーザ顔画像（大）５４Ａを表示させるようにしてよい。
【００９７】
表示制御部２４は、主にチケット管理サーバ１０のプロセッサ１１、記憶装置１２及び通信用インターフェース１３により実現される。
具体的には、プロセッサ１１は、第１端末３０Ａと第２端末３０Ｂの現在位置と現在時刻に基づいて、チケット条件テーブルＴ２に記憶される第１チケットＴＡと第２チケットＴＢの有効期間と有効エリアの条件が満足されているか否かを判定する。
そして、プロセッサ１１は、上記の判定結果に基づいて特定情報テーブルＴ３に記憶される第１特定情報と第２特定情報の利用可否を判定し、判定結果に基づいて第１端末３０Ａと第２端末３０Ｂにそれぞれ提供する表示画面データを生成する。
そして、プロセッサ１１は、上記生成した表示画面データを第１端末３０Ａと第２端末３０Ｂにそれぞれ送信して、第１端末３０Ａと第２端末３０Ｂのそれぞれの表示装置３５において表示させる。
【００９８】
［待ち合わせ場所設定部２５の説明］
待ち合わせ場所設定部２５は、第１端末３０Ａと第２端末３０Ｂのそれぞれの位置に基づいて待ち合わせ場所を設定する。
【００９９】
「待ち合わせ場所」とは、第１ユーザＵＡと第２ユーザＵＢが合流する場所である。例えば、待ち合わせ場所は、第１チケットＴＡと第２チケットＴＢの有効エリア内に設定することとしてよい。
【０１００】
待ち合わせ場所設定部２５は、第１端末３０Ａと第２端末３０Ｂの少なくとも一方からの要求に基づいて、上記の待ち合わせ場所を設定することとしてよい。この際、待ち合わせ場所設定部２５は、第１端末３０Ａと第２端末３０Ｂのそれぞれの現在位置の中間地点に基づいて、上記の待ち合わせ場所を設定することとしてよい。
【０１０１】
待ち合わせ場所設定部２５は、主にチケット管理サーバ１０のプロセッサ１１、記憶装置１２及び通信用インターフェース１３により実現される。
具体的には、プロセッサ１１は、第１端末３０Ａ又は第２端末３０Ｂから待ち合わせ場所の設定要求を受け付けると、第１端末３０Ａと、第２端末３０Ｂのそれぞれの現在位置を取得する。
そして、プロセッサ１１は、第１チケットＴＡと第２チケットＴＢの有効エリア内であって、第１端末３０Ａと第２端末３０Ｂの現在位置の中間地点付近から待ち合わせ場所を設定する。例えば、上記の有効エリアがイベント会場Ｓの内部である場合には、プロセッサ１１は、イベント会場Ｓの各部のうち、上記の中間地点に最も近い場所を、上記の待ち合わせ場所に設定することとしてよい。
【０１０２】
［通知部２６の説明］
通知部２６は、待ち合わせ場所設定部２５により設定した待ち合わせ場所を第１端末３０Ａと第２端末３０Ｂのそれぞれに通知する。
【０１０３】
「通知」とは、待ち合わせ場所設定部２５により設定した待ち合わせ場所の情報を送信することである。待ち合わせ場所の情報は、地図等のグラフィックデータ、文字データ、音声データ、又はこれらの組み合わせとしてよい。
具体的には、図６Ｂに示す第７画面５５Ａや第８画面５５Ｂを、第１端末３０Ａの表示装置３５、第２端末３０Ｂの表示装置３５に表示させることが上記の「通知」に相当する。
【０１０４】
通知部２６は、主にチケット管理サーバ１０のプロセッサ１１、記憶装置１２及び通信用インターフェース１３により実現される。
具体的には、プロセッサ１１は、待ち合わせ場所設定部２５で設定した待ち合わせ場所を表示する表示画面データを生成し、生成した表示画面データを第１端末３０Ａ及び第２端末３０Ｂにそれぞれ送信する。
【０１０５】
［チケットシステム１における処理の説明］
次に、図１１乃至図１４を参照しながら、チケットシステム１において実行される処理の流れについて説明する。
【０１０６】
［チケット購入処理］
まず、図１１に示すシーケンス図を参照しながら、チケットシステム１において実行されるチケット購入処理の流れについて説明する。
なお、図１１に示すシーケンスは、第１端末３０Ａがチケット管理サーバ１０にアクセスしてチケットを購入する際の処理に関するものである。
【０１０７】
図１１に示されるように、第１端末３０Ａは、第１ユーザＵＡから受け付けた操作に応じて、チケット管理サーバ１０に対してチケットの購入を要求する（Ｓ２０１）。本例においては、第１端末３０Ａは、第１チケットＴＡと第２チケットＴＢの購入を要求することとする。
【０１０８】
チケット管理サーバ１０は、第１端末３０Ａからチケットの購入要求を受け付けると（Ｓ１０１）、要求に係るチケットの購入処理を実行する（Ｓ１０２）。そして、チケット管理サーバ１０は、購入処理の完了後に、購入完了の旨を第１端末３０Ａに対して通知する（Ｓ１０３）。
【０１０９】
第１端末３０Ａは、チケット管理サーバ１０からチケット購入完了通知を受信する（Ｓ２０２）。その後、第１端末３０Ａは、第１ユーザＵＡからの操作に基づいて、購入したチケット（電子チケット）のダウンロードをチケット管理サーバ１０に対して要求する（Ｓ２０３）。
本例では、第１端末３０Ａは、第１チケットＴＡのダウンロードを要求することとする。
【０１１０】
チケット管理サーバ１０は、第１端末３０Ａから第１チケットＴＡのダウンロード要求を受け付けると（Ｓ１０４）、第１端末３０Ａに対して第１ユーザＵＡの顔写真の送信を要求する（Ｓ１０５）。
【０１１１】
第１端末３０Ａは、チケット管理サーバ１０から顔写真の送信要求を受け付けると（Ｓ２０４）、第１端末３０Ａの記憶装置３２に記憶される第１ユーザＵＡの顔写真のデータをチケット管理サーバ１０に対して送信する（Ｓ２０５）。なお、第１端末３０Ａがカメラを有している場合には、カメラで第１ユーザＵＡの顔を撮影した写真のデータを、チケット管理サーバ１０に対して送信することとしてもよい。
【０１１２】
チケット管理サーバ１０は、第１端末３０Ａから第１ユーザＵＡの顔写真を受信すると（Ｓ１０６）、受信した第１ユーザＵＡの顔写真を第１チケットＴＡに関連付けて保存する（Ｓ１０７）。
具体的には、チケット管理サーバ１０は、第１チケットＴＡのチケットＩＤ、第１ユーザＵＡのユーザＩＤ、Ｓ１０６で受信した顔写真のデータを関連付けて特定情報テーブルＴ３に記憶する。
【０１１３】
その後、チケット管理サーバ１０は、第１チケットＴＡのチケットデータ（電子チケット）を第１端末３０Ａに送信する（Ｓ１０８）。
そして、第１端末３０Ａは、チケット管理サーバ１０から第１チケットＴＡのチケットデータを受信し（Ｓ２０６）、記憶装置３２に格納する。
以上が、第１端末３０Ａのチケット購入処理及びチケットデータのダウンロード処理の流れである。
【０１１４】
［チケット分配処理］
次に、図１２に示すシーケンス図を参照しながら、チケットシステム１において実行されるチケット分配処理の流れについて説明する。
図１２に示すシーケンスは、第１ユーザＵＡが購入した第２チケットＴＢを、第２ユーザＵＢに分配する処理に関するものである。
【０１１５】
図１２に示されるように、第１端末３０Ａは第１ユーザＵＡの操作に基づいて、購入済の第２チケットＴＢを、第２ユーザＵＢに分配することをチケット管理サーバ１０に対して要求する（Ｓ２１１）。
【０１１６】
チケット管理サーバ１０は、第１端末３０Ａからチケットの分配要求を受け付けると（Ｓ１１１）、要求に係る第２チケットＴＢのデータを更新する（Ｓ１１２）。具体的には、チケット管理サーバ１０は、第２チケットＴＢの所有者を第２ユーザＵＢに更新する。
【０１１７】
次に、第２端末３０Ｂは、第２ユーザＵＢからの操作に基づいて、分配されたチケット（電子チケット）のダウンロードをチケット管理サーバ１０に対して要求する（Ｓ３１１）。
本例では、第２端末３０Ｂは、第２チケットＴＢのダウンロードを要求することとする。
【０１１８】
チケット管理サーバ１０は、第２端末３０Ｂから第２チケットＴＢのダウンロード要求を受け付けると（Ｓ１１３）、第２端末３０Ｂに対して第２ユーザＵＢの顔写真の送信を要求する（Ｓ１１４）。
【０１１９】
第２端末３０Ｂは、チケット管理サーバ１０から顔写真の送信要求を受け付けると（Ｓ３１２）、第２端末３０Ｂの記憶装置３２に記憶される第２ユーザＵＢの顔写真のデータをチケット管理サーバ１０に対して送信する（Ｓ３１３）。なお、第２端末３０Ｂがカメラを有している場合には、カメラで第２ユーザＵＢの顔を撮影した写真のデータを、チケット管理サーバ１０に対して送信することとしてもよい。
【０１２０】
チケット管理サーバ１０は、第２端末３０Ｂから第２ユーザＵＢの顔写真を受信すると（Ｓ１１５）、受信した第２ユーザＵＢの顔写真を第２チケットＴＢに関連付けて保存する（Ｓ１１６）。
具体的には、チケット管理サーバ１０は、第２チケットＴＢのチケットＩＤ、第２ユーザＵＢのユーザＩＤ、Ｓ１１５で受信した顔写真のデータを関連付けて特定情報テーブルＴ３に記憶する。
【０１２１】
その後、チケット管理サーバ１０は、第２チケットＴＢのチケットデータ（電子チケット）を第２端末３０Ｂに送信する（Ｓ１１７）。
そして、第２端末３０Ｂは、チケット管理サーバ１０から第２チケットＴＢのチケットデータを受信し（Ｓ３１４）、記憶装置３２に格納する。
以上が、第２端末３０Ｂへのチケット分配処理及びチケットデータのダウンロード処理の流れである。
【０１２２】
［第１ユーザＵＡと第２ユーザＵＢの特定情報の表示制御処理］
次に、図１３に示すシーケンス図を参照しながら、チケットシステム１において実行される第１ユーザＵＡ及び第２ユーザＵＢの特定情報の表示制御処理について説明する。
【０１２３】
図１３に示されるように、第１端末３０Ａは第１ユーザＵＡから、第２ユーザＵＢの状況を確認するための所定操作を受け付けると（Ｓ２２１）、ＧＰＳチップ３６により取得した第１端末３０Ａの位置情報をチケット管理サーバ１０に送信する（Ｓ２２２）。
この際、第１端末３０Ａは、記憶装置３２に記憶される第１チケットＴＡのチケットＩＤのデータも併せてチケット管理サーバ１０に送信する。
【０１２４】
同様に、第２端末３０Ｂは第２ユーザＵＢから、第１ユーザＵＡの状況を確認するための所定操作を受け付けると（Ｓ３２１）、ＧＰＳチップ３６により取得した第２端末３０Ｂの位置情報をチケット管理サーバ１０に送信する（Ｓ３２２）。
この際、第２端末３０Ｂは、記憶装置３２に記憶される第２チケットＴＢのチケットＩＤのデータも併せてチケット管理サーバ１０に送信する。
【０１２５】
チケット管理サーバ１０は、第１端末３０Ａ及び第２端末３０Ｂからそれぞれの位置情報を受信すると（Ｓ１２１）、受信した位置情報及び現在時刻に基づいて、第１チケットＴＡ及び第２チケットＴＢに定められる時間及び場所の条件が満たされるか否かの判定処理を実行する（Ｓ１２２）。
そして、チケット管理サーバ１０は、Ｓ１２２の判定処理の結果に応じて、第１端末３０Ａと第２端末３０Ｂにそれぞれ送信する画面データを生成する（Ｓ１２３）。
なお、Ｓ１２２及びＳ１２３の処理は、表示制御部２４により実行されるものである。具体的には、図３Ａ〜図５Ｂに示したように、第１端末３０Ａと第２端末３０Ｂの位置及び時刻に応じて、第１端末３０Ａと第２端末３０Ｂの表示装置３５に表示される情報が制御される。
【０１２６】
次に、チケット管理サーバ１０は、Ｓ１２３で生成した第１端末３０Ａ用の画面データを第１端末３０Ａに送信し、第２端末３０Ｂ用の画面データを第２端末３０Ｂに送信する（Ｓ１２４）。
【０１２７】
第１端末３０Ａは、チケット管理サーバ１０から画面データを受信すると（Ｓ２２３）、受信した画面データに基づいて表示装置３５に画面を表示する（Ｓ２２４）。
同様に、第２端末３０Ｂは、チケット管理サーバ１０から画面データを受信すると（Ｓ３２３）、受信した画面データに基づいて表示装置３５に画面を表示する（Ｓ３２４）。
上記の処理は、主に表示制御部２４により実行されるものである。
【０１２８】
以上のシーケンスは、第１ユーザＵＡ又は第２ユーザＵＢの操作に応じて繰り返し実行されることとしてよい。
以上の処理によれば、チケットに定められた時間と場所の条件が満たされる場合に、待ち合わせの相手の顔写真を確認することができる。これにより、個人情報のセキュリティを確保しつつ、待ち合わせを容易に行うことが可能となる。
【０１２９】
なお、第１端末３０Ａ及び第２端末３０Ｂは、自らの位置情報を第１ユーザＵＡ及び第２ユーザＵＢの操作を受け付けない場合においても、定期的にチケット管理サーバ１０に送信することとしてよい。
【０１３０】
［待ち合わせ場所の設定処理］
次に、図１４に示すシーケンス図を参照しながら、チケットシステム１において実行される第１ユーザＵＡと第２ユーザＵＢの待ち合わせ場所の設定処理について説明する。
【０１３１】
図１４に示されるように、第１端末３０Ａは、第１ユーザＵＡから第２ユーザＵＢとの待ち合わせ場所の設定操作を受け付けると、チケット管理サーバ１０に対して、待ち合わせ場所の設定を要求する（Ｓ２３１）。
【０１３２】
チケット管理サーバ１０は、第１端末３０Ａから待ち合わせ場所の設定要求を受け付けると（Ｓ１３１）、第２ユーザＵＢの第２端末３０Ｂに対して、第１ユーザＵＡとの待ち合わせ場所の設定の可否を問い合わせる（Ｓ１３２）。
【０１３３】
第２端末３０Ｂは、チケット管理サーバ１０からの問い合わせを受け付けると（Ｓ３３１）、第２ユーザＵＢからの操作に基づいて第１ユーザＵＡとの待ち合わせ場所を設定するか否かの入力を受け付ける。
本例では、第２ユーザＵＢから承諾の入力を受け付けたものとし、第２端末３０Ｂは、チケット管理サーバ１０に対して待ち合わせ場所の設定の承諾を通知する（Ｓ３３２）。
【０１３４】
チケット管理サーバ１０は、第２端末３０Ｂから承諾通知を受け付けると（Ｓ１３３）、第１端末３０Ａと第２端末３０Ｂに対して位置情報の送信を要求する（Ｓ１３４）。
【０１３５】
第１端末３０Ａは、チケット管理サーバ１０から位置情報の送信要求を受け付けると（Ｓ２３２）、ＧＰＳチップ３６により取得した第１端末３０Ａの位置情報をチケット管理サーバ１０に送信する（Ｓ２３３）。
【０１３６】
同様に、第２端末３０Ｂは、チケット管理サーバ１０から位置情報の送信要求を受け付けると（Ｓ３３３）、ＧＰＳチップ３６により取得した第２端末３０Ｂの位置情報をチケット管理サーバ１０に送信する（Ｓ３３４）。
【０１３７】
チケット管理サーバ１０は、第１端末３０Ａと第２端末３０Ｂから位置情報を受信すると（Ｓ１３５）、第１端末３０Ａと第２端末３０Ｂの位置に基づいて待ち合わせ場所を設定する（Ｓ１３６）。
なお、Ｓ１３６の処理は、待ち合わせ場所設定部２５により実行されるものである。
【０１３８】
そして、チケット管理サーバ１０は、Ｓ１３６で設定した待ち合わせ場所を第１端末３０Ａと第２端末３０Ｂに通知する（Ｓ１３７）。
なお、Ｓ１３７の処理は、通知部２６により実行されるものである。
【０１３９】
第１端末３０Ａは、チケット管理サーバ１０から待ち合わせ場所の通知を受け付けると（Ｓ２３４）、受け付けた待ち合わせ場所の情報を表示装置３５に表示する（Ｓ２３５）。
具体的には、図６Ｂに示す第７画面５５ＡがＳ２３５で表示装置３５に表示される画面の一例に相当する。
【０１４０】
同様に、第２端末３０Ｂは、チケット管理サーバ１０から待ち合わせ場所の通知を受け付けると（Ｓ３３５）、受け付けた待ち合わせ場所の情報を表示装置３５に表示する（Ｓ３３６）。
具体的には、図６Ｂに示す第８画面５５ＢがＳ３３６で表示装置３５に表示される画面の一例に相当する。
以上の処理によれば、第１ユーザＵＡと第２ユーザＵＢの双方にとって適切な場所を待ち合わせ場所に設定できる。なお、待ち合わせ場所はユーザの位置に基づいて設定されるため、一部のエリアに待ち合わせ場所が集中することがない。これにより、第１ユーザＵＡと第２ユーザＵＢにとって、待ち合わせをより容易に行うことができる。
【０１４１】
［まとめ］
本実施形態に係るチケットシステム１は、第１チケットＴＡと第２チケットＴＢとを関連付けて記憶する関連チケット情報記憶部２０と、第１チケットＴＡ及び第２チケットＴＢに定められた時間と場所の条件を記憶する条件記憶部２１と、第１チケットＴＡの所有者である第１ユーザＵＡを特定するための第１特定情報を記憶する特定情報記憶部２２と、第１チケットＴＡのデータを記憶する第１端末３０Ａと、第２チケットＴＢのデータを記憶する第２端末３０Ｂのそれぞれの位置情報を取得する位置情報取得部２３と、第１端末３０Ａ又は第２端末３０Ｂの少なくとも一方が第１チケットＴＡ及び第２チケットＴＢに定められた時間と場所の条件を満たす場合に、第２端末３０Ｂにおいて第１特定情報を表示させる表示制御部２４と、を備える。
【０１４２】
上記のチケットシステム１によれば、チケットの所有者がチケットに定められた時間と場所の条件を満たす場合に、待ち合わせの相手を特定するための情報を閲覧できる。
これにより、チケットシステム１によれば、個人情報のセキュリティを確保しつつ、チケットの所有者が、チケットに定められた時間と場所において待ち合わせの相手を容易に特定できるようになる。
【０１４３】
チケットシステム１では、特定情報記憶部２２は、第２チケットＴＢの所有者である第２ユーザＵＢを特定するための第２特定情報を記憶する。そして、表示制御部２４は、第１端末３０Ａ又は第２端末３０Ｂの少なくとも一方が第１チケットＴＡ及び第２チケットＴＢに定められた時間と場所の条件を満たす場合に、第１端末３０Ａにおいて第２特定情報を表示させる。
こうすることで、個人情報のセキュリティを確保しつつ、第１ユーザと第２ユーザの両者がチケットに定められた時間と場所において相手方を容易に特定することが可能となる。
【０１４４】
チケットシステム１では、表示制御部２４は、第１端末３０Ａと第２端末３０Ｂの両方が第１チケットＴＡ及び第２チケットＴＢに定められた時間と場所の条件を満たす場合に、第１端末３０Ａにおいて第２特定情報を表示させ、第２端末３０Ｂにおいて第１特定情報を表示させる。
こうすることで、第１ユーザＵＡと第２ユーザＵＢの両者がチケットに定められた時間と場所の条件を満たす場合に、第１ユーザＵＡと第２ユーザＵＢの両者が相手方を特定することが可能となる。これにより、個人情報のセキュリティをより確保しつつ、チケットに定められた時間と場所において待ち合わせの相手を容易に特定できるようになる。
【０１４５】
チケットシステム１では、表示制御部２４は、第２端末３０Ｂが第２チケットＴＢに定められた時間と場所の条件を満たす場合に、第１端末３０Ａの位置に応じて、第２端末３０Ｂにおいて第１特定情報に基づいて表示する情報を制御する。
こうすることで、第２ユーザＵＢに対して提供する第１ユーザＵＡの特定情報を第１ユーザＵＡの位置に応じて制御できる。これにより、第２ユーザＵＢと第１ユーザＵＡとの距離に応じて、第２ユーザＵＢが閲覧する第１ユーザＵＡに関する情報を変えることができる。
【０１４６】
チケットシステム１では、表示制御部２４は、第１チケットＴＡ又は第２チケットＴＢのステータスが使用済か否かに応じて、第２端末３０Ｂにおいて第１特定情報に基づいて表示する情報を制御する。
こうすることで、第１チケットＴＡ又は第２チケットＴＢが使用されたか否かに応じて、第２ユーザが閲覧する第１ユーザの情報を変えることができる。
【０１４７】
チケットシステム１では、第１チケットＴＡと第２チケットＴＢの一方は、第１ユーザＵＡから第２ユーザＵＢに譲渡されたチケットであるか、又は第２ユーザＵＢから第１ユーザＵＡに譲渡されたチケットである。
こうすることで、チケットを譲渡したユーザと、チケットを譲り受けたユーザとの間で、チケットに定められた時間と場所の条件を満たす場合に、互いに相手方を容易に特定できるようになる。
【０１４８】
チケットシステム１では、第１特定情報は、第１ユーザＵＡの顔写真を含み、第２特定情報は、第２ユーザＵＢの顔写真を含む。
こうすることで、第１ユーザＵＡと第２ユーザＵＢにとって、互いに相手方を容易に特定できるようになる。
【０１４９】
チケットシステム１は、第１端末３０Ａと第２端末３０Ｂのそれぞれの位置に基づいて待ち合わせ場所を設定する待ち合わせ場所設定部２５と、待ち合わせ場所設定部２５により設定した待ち合わせ場所を第１端末３０Ａと第２端末３０Ｂのそれぞれに通知する通知部２６と、を備える。
こうすることで、第１ユーザＵＡと第２ユーザＵＢの位置に応じて適切な待ち合わせ場所を設定できる。
【０１５０】
［その他の実施形態］
本発明は上記の実施形態に限定されるものではない。
例えば、チケットシステム１はチケット管理サーバ１０により実現されるものとしたが、チケット管理サーバ１０を設けずに、第１端末３０Ａ又は第２端末３０Ｂのうちいずれかがチケット管理サーバ１０の機能を兼ねることとしてもよい。
【０１５１】
また例えば、上記の実施形態では、電子チケットをダウンロードする際にユーザの顔写真をアップロードすることとしたが、ユーザの顔写真をアップロードするタイミングは、電子チケットをダウンロードする際に限定されず、任意のタイミングとしてよい。
【０１５２】
また、チケットシステム１により取り扱うチケット（権利情報）は、イベントのチケットに限定されない。例えば、第１ユーザＵＡと第２ユーザＵＢとは、商品を売る売り手と、売り手から商品を買う買い手であってもよい。
この際、第１端末３０Ａが第２端末３０Ｂに所定距離まで近づいた場合に、第２ユーザＵＢの顔写真を表示装置３５に表示させるようにしてもよい。
こうすることで、第１ユーザＵＡは、商品を届ける相手である第２ユーザＵＢを容易に特定できるようになる。
【０１５３】
また、チケットの関連付けは、チケットを所有するユーザの嗜好に基づいて実行してもよい。こうすることで、チケットシステム１は、嗜好の近いユーザ同士の待ち合わせを支援できる。
【符号の説明】
【０１５４】
１  チケットシステム
１０  チケット管理サーバ
１１  プロセッサ
１２  記憶装置
１３  通信用インターフェース
２０  関連チケット情報記憶部
２１  条件記憶部
２２  特定情報記憶部
２３  位置情報取得部
２４  表示制御部
２５  待ち合わせ場所設定部
２６  通知部
３０  ユーザ端末
３０Ａ  第１端末
３０Ｂ  第２端末
３１  プロセッサ
３２  記憶装置
３３  通信用インターフェース
３４  入力装置
３５  表示装置
３６  ＧＰＳチップ
４０  イベント日時情報
４１  現在時刻
５０Ａ  第１画面
５０Ｂ  第２画面
５１Ａ  第３画面
５１Ｂ  第４画面
５２Ａ  第１ユーザ顔画像（小）
５２Ｂ  第２ユーザ顔画像（小）
５３Ａ  第５画面
５３Ｂ  第６画面
５４Ａ  第１ユーザ顔画像（大）
５４Ｂ  第２ユーザ顔画像（大）
５５Ａ  第７画面
５５Ｂ  第８画面
６０  待ち合わせ場所
ＧＡ  第１ゲート
ＧＢ  第２ゲート
ＧＣ  第３ゲート
Ｎ  ネットワーク
Ｓ  イベント会場
Ｔ１  関連チケット情報テーブル
Ｔ２  チケット条件テーブル
Ｔ３  特定情報テーブル
ＴＡ  第１チケット
ＴＢ  第２チケット
ＵＡ  第１ユーザ
ＵＢ  第２ユーザ
【図１】
2019086850.tif 000003
【図２】
2019086850.tif 000004
【図３Ａ】
2019086850.tif 000005
【図３Ｂ】
2019086850.tif 000006
【図４Ａ】
2019086850.tif 000007
【図４Ｂ】
2019086850.tif 000008
【図５Ａ】
2019086850.tif 000009
【図５Ｂ】
2019086850.tif 000010
【図６Ａ】
2019086850.tif 000011
【図６Ｂ】
2019086850.tif 000012
【図７】
2019086850.tif 000013
【図８】
2019086850.tif 000014
【図９】
2019086850.tif 000015
【図１０】
2019086850.tif 000016
【図１１】
2019086850.tif 000017
【図１２】
2019086850.tif 000018
【図１３】
2019086850.tif 000019
【図１４】
2019086850.tif 000020